(57)【要約】【課題】管制運転時におけるかごの位置状態を利用者に分かりやすく表示する。【解決手段】通常運転と、異常検知に応じてかごを最寄階へ移動させこの最寄階で停止させる管制運転とを実行するエレベータ制御装置において、管制運転の開始時に、各呼び登録装置１１、１４で登録されて未実施の呼びを取消す場合に、かご呼び登録装置１４におけるかご呼び登録用の全部の階の階指定ボタン１４ａのランプを同一表示状態にダミー点灯する。さらに、かご４が、最寄階への移動開始前又は移動開始後において、階と階との中間位置に停止したとき、かご位置検出部２０で検出されたかごの停止位置の上下に隣接する一対の階を求めて、この一対の階をかご位置表示器１２，１５にかごの異常停止位置として表示出力する。【選択図】      図１
2008037521.tif 000002
【特許請求の範囲】
【請求項１】
かごを各乗場呼び登録装置及びかご呼び登録装置で登録された各呼びが指定する階へ移動させる通常運転と、異常検知手段における異常検知に応じて前記かごを最寄階へ移動させこの最寄階で停止させる管制運転とを実行するエレベータ制御装置において、
前記管制運転の開始時に、前記各呼び登録装置で登録されて未実施の呼びを取消す呼び取消手段と、
前記管制運転の実行期間において、前記かご呼び登録装置におけるかご呼び登録用の各階毎の階指定ボタンの指定済みランプの全てを同一表示状態にダミー点灯するダミー点灯手段と
を備えたことを特徴とするエレベータ制御装置。
【請求項２】
前記ダミー点灯手段は、前記各階毎の階指定ボタンの指定済みランプの全てを一定周期で点滅表示することを特徴とする請求項１記載のエレベータ制御装置。
【請求項３】
前記ダミー点灯手段は、前記各階毎の階指定ボタンの指定済みランプの全てを、前記通常運転時に指定されて点灯したときの輝度より低い輝度で点滅表示することを特徴とする請求項１又は２記載のエレベータ制御装置。
【請求項４】
前記かごの現在位置を検出するかご位置検出手段と、
各階の乗場及び前記かご内に設けられ、前記かご位置検出手段で検出されたかごの現在位置を階単位で表示するかご位置表示器と、
前記管制運転の実行期間において、前記かごが、前記最寄階へ移動開始前又は移動開始後において、階と階との中間位置に停止したとき、前記かご位置検出手段で検出されたかごの停止位置の上下に隣接する一対の階を求めて、この一対の階を前記かご位置表示器にかごの異常停止位置として表示出力する停止位置表示手段と
を備えたことを特徴とする請求項１記載のエレベータ制御装置。
【請求項５】
前記かご位置表示器は、前記かご位置検出手段で検出されたかごの階を数値で電光表示し、
前記停止位置表示手段は、前記一対の階の各数値をかご位置表示器に対して一定周期で切換表示する
ことを特徴とする請求項４記載のエレベータ制御装置。
【請求項６】
前記異常検知手段は、一定振動以上の振動を検出すると異常検知を出力する地震計と、火災を検出すると異常検知を出力する火災検知器と、かごを移動する動力電源の停電を検出すると異常検知を出力する停電検出回路との少なくとも１つを含むことを特徴とする請求項１から５のいずれか１項記載のエレベータ制御装置。
【発明の詳細な説明】
【技術分野】
【０００１】
本発明は、地震、火災、停電等の異常発生時に、走行中のかごを最寄階に移動させこの最寄階に停止させる管制運転を実行するエレベータ制御装置に係わり、特に、管制運転中における各階の乗場、及びかご内における表示内容を改良したエレベータ制御装置に関する。
【背景技術】
【０００２】
マンションやビル等の建屋に組込まれたエレベータシステムにおいては、建屋の各階を貫通する昇降路の上部に設けられた機械室に、昇降路内においてかごを上下移動させる巻上機、及びかごの動作を制御するエレベータ制御装置が組込まれた制御盤が配設されている。各階の乗場（エレベータホール）には乗場呼び登録装置が設けられ、かご内にはかご呼び登録装置が設けられている。なお、エレベータシステムによっては、各階の乗場及びかご内には、かごの現在位置（階）を表示するかご位置表示器が設けられている場合がある。
【０００３】
各階の乗場呼び登録装置においては、上方及び下方の乗場呼びを登録する乗場呼びボタンが設けられ、かご呼び登録装置には、利用客がかご呼び登録するための各階毎の階指定ボタンが設けられている。したがって、複数の乗客がそれぞれ異なる階を指定すると、それぞれ対応した複数の階指定ボタンのランプが点灯する。目的階にかごが到達すると該当階の階指定ボタンのランプが消灯する。
【０００４】
各階の乗場呼び登録装置で登録された乗場呼び、及びかご呼び登録装置で登録されたかご呼びは、機械室の制御盤内に設けられたエレベータ制御装置へ送信される。エレベータ制御装置は順次入力される各呼びを一旦、呼びメモリに記憶保持する。そして、この呼びメモリに記憶された各呼びを順番に読出して、該当呼びが指定する階へかごを移動させる。
【０００５】
エレベータ制御装置においては、利用者が操作入力した各呼びに基づいてかごを移動制御する通常運転を実行するとともに、地震、火災、停電等の異常発生時に、走行中のかごを最寄階に移動させこの最寄階に停止させる管制運転を実行する。
【０００６】
この管制運転が開始されると、現在時点で呼びメモリに記憶されている未実施の呼びを取消した後に、移動中の現在のかご位置から、このかご位置に最も近い最寄階を定めて、この最寄階へかごを移動させる。
【０００７】
なお、特許文献１には、地震発生時に管制運転を実行し、管制運転終了後にエレベータの運転停止し、その後、保守員がエレベータ（かご）の停止階を各階のエレベータホールで簡単に確認できるエレベータのインジケータ装置が開示されている。
【特許文献１】特開平５−３３８９３７号公報
【発明の開示】
【発明が解決しようとする課題】
【０００８】
しかしながら、上述した通常運転と管制運転とを実行するエレベータ制御装置、及び特許文献１に記載されたエレベータのインジケータ装置においてもまだ改良すべき次のような課題があった。
【０００９】
異常検出からかごが最寄階に到達するまでのかご呼び登録装置の階指定ボタンのランプの点灯状態を順番に説明する。異常検出直前においては、かご呼び登録されて、かごが該当階に到着（応答）していない階の階指定ボタンのランプが点灯している。
【００１０】
この時点で、異常が検出されると、管制運転が開始されるので、現在時点で呼びメモリに記憶されている未実施の呼びが取消される。そして、呼びの登録を禁止し、最寄階を求める。その結果、全部の階の階指定ボタンのランプが一斉に消灯する。
【００１１】
その結果、この管制運転の実行内容を知らないこのかごに乗合せた利用客は、不安を覚え、どの階でも良いからと、全部の階の階指定ボタンを押そうとする。しかし、この時点においては、呼びの登録が禁止されているので、階指定ボタンを押しても、かご呼びは登録されず、階指定ボタンのランプは点灯しない。その結果、かごに乗合せた利用客はパニック状態になる懸念がある。
【００１２】
また、地震発生により、走行中のかごが階と階との中間位置で停止した場合、たとえ、各階の乗場及びかご内に、かごの現在位置（階）を表示するかご位置表示器が設けられていたとしても、このかご位置表示器は、かご位置を階単位で表示するので、かごが階と階との中間位置に停止した場合には、かご位置表示器には、かご位置が全く表示されない。
【００１３】
したがって、かご内に閉込められている利用客や、かご内に閉込められている利用客を救出するレスキュー隊員や、エレベータ保守管理会社のエレベータ保守員にとって、エレベータのかごの停止位置が簡単に把握できない。この場合、建屋の各階の乗場における各扉をマニアル操作で順番に開いて、昇降路内のかごの停止位置を目視で把握する必要があるので、かご内に閉込められている利用客の救出作業が遅れる懸念がある。さらに、その後におけるエレベータシステム全体の保守点検作業が遅れる。
【００１４】
本発明はこのような事情に鑑みてなされたものであり、地震、火災、停電等の異常発生時に、利用客に対する不安を与えることなく、かつ、たとえ、かごが階と階との中間位置に止まったとしても、かご内に閉込められている利用客、このかご内に閉込められている利用客を救出するレスキュー隊員や、エレベータ保守管理会社のエレベータ保守員にとって、かごの停止位置を即座に把握でき、かご内に閉込められている利用客の救出作業及びこれに続くエレベータシステム全体の保守点検作業を効率的に実施でき、利用者に対するサービスを向上できるエレベータ制御装置を提供することを目的とする。
【課題を解決するための手段】
【００１５】
上記目的を達成するために、本発明は、かごを各乗場呼び登録装置及びかご呼び登録装置で登録された各呼びが指定する階へ移動させる通常運転と、異常検知手段における異常検知に応じてかごを最寄階へ移動させこの最寄階で停止させる管制運転とを実行するエレベータ制御装置において、管制運転の開始時に、各呼び登録装置で登録されて未実施の呼びを取消す呼び取消手段と、管制運転の実行期間において、かご呼び登録装置におけるかご呼び登録用の各階毎の階指定ボタンの指定済みランプの全てを同一表示状態にダミー点灯するダミー点灯手段とを備えている。
【００１６】
このように構成されたエレベータ制御装置においては、異常発生時に通常運転から管制運転に切換った時点で、各呼び登録装置で登録されて未実施の呼びが取消されるが、かご呼び登録装置におけるかご呼び登録用の全部の階指定ボタンのランプが同一表示状態でダミー表示される。
【００１７】
したがって、この管制運転の実行内容を知らないこのかごに乗合せた利用客は、階指定ボタンのランプが消灯したわけではないので、利用客が不安になることが未然に防止できる。
【００１８】
このダミー点灯は、各階毎の階指定ボタンの指定済みランプの全てを一定周期で点滅表示したり、各階毎の階指定ボタンの指定済みランプの全てを、通常運転時に指定されて点灯したときの輝度より低い輝度で点滅表示することが有効的である。
【００１９】
また、別の発明は、上記発明のエレベータ制御装置に対して、かごの現在位置を検出するかご位置検出手段と、各階の乗場及びかご内に設けられ、かご位置検出手段で検出されたかごの現在位置を階単位で表示するかご位置表示器と、管制運転の実行期間において、かごが、最寄階へ移動開始前又は移動開始後において、階と階との中間位置に停止したとき、かご位置検出手段で検出されたかごの停止位置の上下に隣接する一対の階を求めて、この一対の階をかご位置表示器にかごの異常停止位置として表示出力する停止位置表示手段とを備えている。
【００２０】
このように構成されたエレベータ制御装置においては、例えば、地震、火災、停電等にて、エレベータのかごが階と階との中間位置に停止した場合には、かご位置表示器に、かごの停止位置の上下に隣接する一対の階が表示されるので、かご内に閉込められている利用客、このかご内に閉込められている利用客を救出するレスキュー隊員や、エレベータ保守管理会社のエレベータ保守員にとって、かごの停止位置を即座に把握できる。
【００２１】
さらに、かご位置表示器は、前記かご位置検出手段で検出されたかごの階を数値で電光表示するタイプの場合は、一対の階の各数値が一定周期で切換表示される。
【００２２】
また、異常検知手段として、一定振動以上の振動を検出すると異常検知を出力する地震計、火災を検出すると異常検知を出力する火災検知器、かごを移動する動力電源の停電を検出すると異常検知を出力する停電検出回路等が有効である。また、これらを組み合わせることも可能である。
【発明の効果】
【００２３】
本発明においては、地震、火災、停電等の異常発生時に、利用客に対する不安を与えることなく、かつ、たとえ、かごが階と階との中間位置に止まったとしても、かごの停止位置を即座に把握でき、このかご内に閉込められている利用客の救出作業、これに続くエレベータシステム全体に対する保守点検作業を効率的に実施できる。
【発明を実施するための最良の形態】
【００２４】
以下、本発明の実施形態を図面を用いて説明する。
【００２５】
図１は、本発明の一実施形態に係わるエレベータ制御装置が組込まれたエレベータシステの全体構成を示す図である。
【００２６】
建屋における各階を貫通したエレベータの昇降路１の上側に設けられた機械室に巻上機２が設置されており、この巻上機２の電動機３の軸に取付けられたシーブに対して、一端にかご４が取付けられ他端に釣合重り５が取付けられた主ロープ６が掛けられている。
【００２７】
巻上機２の電動機３には、外部の交流電源７から供給された三相交流が電力変換部８で指定された周波数及び電圧を有する交流信号に変換されて印加される。すなわち電力変換部８においては、入力された三相交流を整流器で一旦直流に変換して、インバータでこの直流を指定された周波数及び電圧を有する三相交流に変換して電動機３に印加する。なお、交流電源７の停電発生時に電力変換部８には、蓄電器９から管制運転を実行するための電力が供給される。
【００２８】
各階のエレベータホール（乗場）には、図２（ａ）に示すように、利用者がかご４に乗込むための扉１０、利用客が乗場呼びを登録ための乗場呼び登録装置１１、かご４の現在位置（階）を表示するかご位置表示器１２が設けられている。乗場呼び登録装置１１には、それぞれ登録済みを示すランプが組込まれている上方向及び下方向の呼びボタン１１ａ、１１ａが設けられている。
【００２９】
かご位置表示器１２は、図２（ｂ）に示すように、例えば１Ｆ〜６Ｆまでの各階を示す６個のランプ１２ａで構成されており、かご４の位置する階のランプ１２ａが点灯する。さらに、エレベータホールの天井に火災検知器１３が取付けられている。この火災検知器１３は火災を検出すると火災検知信号をエレベータ制御装置内の異常検出部１９へ送信する。
【００３０】
前記かご４内には、図３（ａ）に示すように、ドア１６の側方にかご呼び登録装置１４が設けられ、ドア１６の上方にかご位置表示器１５が取付けられている。かご呼び登録装置１４には、図３（ｂ）に示すように、利用客が目的階を指定したかご呼びを登録するための１Ｆから６Ｆまでの６個の階指定ボタン１４ａが設けられ、各階指定ボタン１４ａ内には、この階指定ボタン１４ａを押して、かご呼びが登録されると点灯するランプが組込まれている。図６（ａ）は、２階の階指定ボタン１４ａと５階の階指定ボタン１４ａが押されて、２階と５階に対するかご呼びが登録された状態を示す。かご位置表示器１５は、基本的に、各階に設けられたかご位置表示器１２と同一機能を有し、１Ｆから６Ｆまでの６個のランプ１５ａが配列されている。
【００３１】
また、前記機械室内には、地震計１７が設置されており、この地震計１７は、予め定められた一定以上の振動を検出すると地震検知信号を異常検出部１９へ送出する。さらに、交流電源７には、停電検出回路１８が接続されており、交流電源７の停電を検出すると、停電検知信号を異常検出部１９へ送出する。
【００３２】
また、巻上機２の電動機３の軸には回転回数と回転角度を検出するエンコーダが組込まれており、かご位置検出部２０はエンコーダから出力される回転回数と回転角度をかご４の小数点以下の数値を含む階数で示したかごの現在位置を求めて出力する。
【００３３】
また、機械室の制御盤内には、電力変換部８、蓄電器９の他に、エレベータの動作を制御するコンピュータからなるエレベータ制御装置が設けられている。このエレベータ制御装置内には、前述した異常検出部１９、呼び入力部２１、呼びメモリ２２、通常運転実行部２３、かご移動制御部２４、最寄階判定部２５が組込まれた管制運転実行部２６、及び表示制御部２７が組込まれている。
【００３４】
次にこのエレベータ制御装置の各部の動作を順番に説明していく。呼び入力部２１は、各階の乗場呼び登録装置１１から自己階を指定した乗場呼びが入力するとこの乗場呼びを呼びメモリ２２へ書込む。また、呼び入力部２１は、かご４内のかご呼び登録装置１４から目的階を指定したかご呼びが入力されるとこのかご呼びを呼びメモリ２２へ書込む。
【００３５】
通常運転実行部２３は、呼びメモリ２２に記憶されている階を指定した呼びを順次読み出して、かご移動制御部２４へ送出する。この場合、かご位置検出部２０で検出されたかご４の現在位置を参照して、かご４が効率的に各目的階へ移動するように呼びの読み出し順序を調整する。かご移動制御部２４は電力変換部８のインバータへＰＷＭ（パルス幅変調）信号を送出して、電動機３を駆動して、かご４を呼びが指定する階へ移動させる。
【００３６】
表示制御部２７はかご位置検出部２０で検出されたかご４の現在位置を取込み、小数点以下を四捨五入して階単位の現在位置に変換して各階のかご位置表示器１２及びかご４内のかご位置表示器１５へ送出する。かご位置表示器１２、１５は、図７（ａ）、（ｂ）に示すように、受信した一つの階のランプ１２ａ、１５ａを点灯する。
【００３７】
異常検出部１９は、地震検知信号、火災検知信号、停電検知信号におけるいずれか１つの検知信号を受信すると、管制運転実行部２６へ起動信号を送出する。管制運転実行部２６は起動すると、まず、呼びメモリ２２に記憶されている未実施の呼びを取消し、各乗場呼び登録装置１１及びかご呼び登録装置１４における呼び登録を禁止する。同時に、管制運転実行部２６は、表示制御部２７へかご呼び登録装置１４のダミー表示指示を出力する。表示制御部２７は、図６（ｂ）に示すように、かご呼び登録装置１４の１Ｆ〜６Ｆまでの全部の階指定ボタン１４ａのランプを点灯する。
【００３８】
次に、かご４が走行中の場合は、最寄階判定部２５にて、かご位置検出部２０で検出されたかご４の現在位置の最寄階を判定する。この場合、かご４の現在位置から走行方向側に隣接する階を最寄階とする。そして、この最寄階をかご移動制御部２４へ送出する。かご移動制御部２４は、かご４を最寄階へ移動させるＰＷＭ信号を電力変換部８へ送出する。
【００３９】
管制運転実行部２６は、かご４を最寄階へ到着したことをかご位置検出部２０で検出すると、かご４のドア１６、最寄階の扉１０を一定時間開放したのち、かご４のドア１６、最寄階の扉１０を閉じて、エレベータの運転を停止して、保守員による保守点検待ち状態に移行する。
【００４０】
さらに、管制運転実行部２６は、かご位置検出部２０のかごの現在位置が小数点以下を含む数値で示され、かつこの値が一定時間変化しないと、図８に示すように、かご４が最寄階へ移動開始前又は移動開始後において、階と階との中間位置に停止したと判断する。そして、管制運転実行部２６は、表示制御部２７に中間位置停止表示指示を出力する。表示制御部２７は、かご位置検出部２０で検出されたかご４の小数点を含む階で示された現在位置を取込み、小数点を切捨てた階、及び少数点を切上げた階との隣接する２つの階を、各階のかご位置表示器１２及びかご４内のかご位置表示器１５へ送出する。かご位置表示器１２、１５は、図９（ａ）（ｂ）に示すように、受信した隣接する二つの階のランプ１２ａ、１２ａ、１５ａ、１５ａを点灯する。
【００４１】
図４、図５は、エレベータ制御装置の全体動作を示す流れ図である。各階の乗場呼び登録装置１１から乗場呼びが入力されると（ステップＰ１）、この乗場呼びを呼びメモリ２２へ書込み（Ｐ２）、該当階の呼びボタン１１ａを点灯する（Ｐ３）。かご呼び登録装置１４からかご呼びが入力されると（Ｐ４）、このかご呼びを呼びメモリ２２へ書込み（Ｐ５）、図６（ａ）に示すように、かご呼び登録装置１４のかご呼びで指定された階の階指定ボタン１４ａのランプを点灯する（Ｐ６）。
【００４２】
かご位置検出部２０のかごの現在位置から、一つの呼びに対するかご４の応答（かごが目的階に到着）が判定（入力）されると（Ｐ７）、呼びメモリ２２内に呼びがあれば（Ｐ８）、この未実施の呼びを読出し、この呼びを実行開始する（当該呼びの指定する階へかご４の移動を開始する）（Ｐ９）。
【００４３】
さらに、かご４の現在位置を読取り、図７（ａ）、（ｂ）に示すように、各階のかご位置表示器１２、及びかご４内のかご位置表示器１５に表示する（Ｐ１０）。
【００４４】
さらに、地震検知信号、火災検知信号、停電検知信号入力にて、異常を検出すると（Ｐ１１）、図５に示す管制運転処理を行い（Ｐ１２）、その後、保守員による保守点検が実施され、再起動操作が行われると（Ｐ１３）、Ｐ１へ戻る。
【００４５】
図５において、管制運転が開始されると、先ず、異常がエレベータのかご４が走行中に発生したか、いずれかの階で停止中に発生したかをかご位置検出部２０のかご位置の時間変化から判定する（Ｓ１）。異常がいずれかの階で停止中に発生した場合、呼びメモリ２２をクリアし、さらに、乗場呼び登録装置１１及びかご呼び装置１４による呼び登録を禁止する（Ｓ２）。異常発生を音声で各階のエレベータホール及びかご内に報知する（Ｓ３）。そして、所定の時間経過後に、各階の扉１０及びかご４のドア１６を閉じ（Ｓ４）、各階のかご位置表示器１２、かご４内のかご位置表示器１５に停止かご位置（停止階）を表示する（Ｓ５）。そして、エレベータの運転を停止する。なお、この場合において、かご４の停止階の表示はエレベータ運転停止期間中においても消灯されない（Ｓ６）。そして、図４のＰ１３へ戻り、保守員による保守点検、再起動待ちとなる。
【００４６】
図５のＳ１において、異常がエレベータのかご４が走行中に発生した場合、呼びメモリ２２をクリアし、さらに、乗場呼び登録装置１１及びかご呼び装置１４による呼び登録を禁止する（Ｓ７）。そして、かごの現在位置から最寄階を算出して（Ｓ８）、この最寄階をかご移動制御部２４へ送出して、かご４を最寄階へ移動開始させる（Ｓ９）。
【００４７】
そして、図６（ｂ）に示すように、かご呼び登録装置１４の１Ｆ〜６Ｆまでの全部の階指定ボタン１４ａのランプを点灯する（Ｓ１０）。異常発生を音声で各階のエレベータホール及びかご内に報知する（Ｓ１１）。
【００４８】
かご位置検出部２０から出力されるかご４の現在位置を監視し、かご４が予められた許容時間内（Ｓ１３）に最寄階に到着したことを検出すると（Ｓ１２）、かご内に避難指示を告知し、かご４のドア１６と最寄階の扉１０とを一定時間開き（Ｓ１４）、利用客のかご外への避難終了後に、かご４のドア１６と最寄階の扉１０とを閉じる（Ｓ１５）。
【００４９】
各階のかご位置表示器１２、かご４内のかご位置表示器１５に最寄階である停止かご位置（停止階）を表示する（Ｓ１６）。そして、エレベータの運転を停止する。なお、この場合において、かご４の停止階の表示はエレベータ運転停止期間中においても消灯されない（Ｓ１７）。そして、図４のＰ１３へ戻り、保守員による保守点検、再起動待ちとなる。
【００５０】
なお、かご４が予め定められた許容時間内に最寄階に到着しないと（Ｓ１３）、かご４が最寄階へ移動開始直前に中階と階との中間位置に停止したか、最寄階へ移動開始後に階と階との中間位置に停止したか、又はかご４が非常に遅い速度で最寄階へ移動中である。なお、非常に遅い速度で最寄階へ移動中の場合は（Ｓ１８）、かご４を強制停止させる（Ｓ１９）。
【００５１】
そして、かご位置検出部２０で検出されたかご４の小数点を含む階で示された現在位置を取込み、小数点を切捨てた階、及び少数点を切上げた階との隣接する２つの階を、図９（ａ）、（ｂ）に示すように、各階のかご位置表示器１２及びかご４内のかご位置表示器１５における、隣接する二つの階のランプ１２ａ、１２ａ、１５ａ、１５ａを点灯する（Ｓ２０）。そして、エレベータの運転を停止する。なお、この場合において、かご４の停止階の表示はエレベータ運転停止期間中においても消灯されない（Ｓ２１）。そして、図４のＰ１３へ戻り、保守員による保守点検、再起動待ちとなる。
【００５２】
このように構成された実施形態のエレベータ制御装置においては、異常発生時に通常運転から管制運転に切換った時点で、各階の乗場呼び登録装置１１及びかご呼び登録装置１４で登録されて呼びメモリ２２に書込まれた各呼びのなかの、未実施の呼びが取消されるが、かご呼び登録装置１４におけるかご呼び登録用の全部の階指定ボタン１４ａのランプがダミー表示される。したがって、この管制運転の実行内容を知らないこのかご４に乗合せた利用客は、階指定ボタン１４ａのランプが消灯したわけではないので、利用客が不安になることが未然に防止できる。
【００５３】
さらに、地震、火災、停電等にて、かご４が階と階との中間位置に停止した場合には、各階のエレベータホール、及びかご４内のかご位置表示器１２、１５に、かごの停止位置の上下に隣接する一対の階が表示されるので、かご４内に閉込められている利用客、エレベータ保守管理会社のエレベータ保守員にとって、かご４の停止位置を即座に把握できる。したがって、かご４内に閉込められている利用客の救出を短時間で実施でき、かつ、その後におけるエレベータシステム全体の保守点検作業を効率的に実施できる。
【００５４】
なお、本発明は上述した実施形態に限定されるものではない。各階のエレベータホールに設けられたかご位置表示器１２を、例えば、図１０（ａ）に示すように、階を数値で電光表示するかご位置表示器２８に置き換え、さらに、かご４内に設けられたかご位置表示器１５を、例えば、図１０（ｂ）に示すように、階を数値で電光表示するかご位置表示器２９に置き換えることが可能である。
【００５５】
この場合、かご４が階と階との中間位置に停止した場合には、かごの停止位置の上下に隣接する一対の階を求めて、図１０に示すように、この一対の階の各数値をかご位置表示器２８、２９に対して一定周期で切換表示する。このような表示手法においても、階と階との中間位置に停止したかご４の停止位置を簡単に確認できる。
【００５６】
さらに、管制運転開始時に、かご呼び登録装置１４の全部の階の階指定ボタン１４ａのランプを一定周期で点滅表示することも可能である。
【００５７】
さらに、管制運転開始時に、かご呼び登録装置１４の全部の階の階指定ボタン１４ａのランプを、通常運転時に指定されて点灯したときの輝度より低い輝度で点滅表示することも可能である。
【００５８】
また、実施形態においては、地震計、火災検知器、停電検出回路との各検知信号で管制運転を開始させたが、例えば、地震検知信号のみで、管制運転を開始させることも可能である。
【図面の簡単な説明】
【００５９】
【図１】本発明の一実施形態のエレベータ制御装置が組込まれたエレベータシステムの概略構成を示す図
【図２】同エレベータシステムの各階のエレベータホール及び乗場呼び登録装置を示す図
【図３】同エレベータシステムのかご及びかご呼び登録装置を示す図
【図４】同エレベータ制御装置の動作を示す流れ図
【図５】同じくエレベータ制御装置の動作を示す流れ図
【図６】かご呼び登録装置の表示状態を示す図
【図７】各かご位置表示器の表示状態を示す図
【図８】かごが階と階との中間位置に停止した状態を示す図
【図９】かごが階と階との中間位置に停止したときの各かご位置表示器の表示状態を示す図
【図１０】階を数値で電光表示するかご位置表示器を示す図
【符号の説明】
【００６０】
１…昇降路、２…巻上機、３…電動機、４…かご、７…交流電源、８…電力変換部、９…蓄電器、１０…扉、１１…乗場呼び登録装置、１２，１５…かご位置表示器、１３…火災報知器、１４…かご呼び登録装置、１７…地震計、１８…停電検出回路、１９…異常検出部、２０…かご位置検出部、２１…呼び入力部、２２…呼びメモリ、２３…通常運転実行部、２４…かご移動制御部、２５…最寄階判定部、２６…管制運転実行部、２７…表示制御部
【図１】
2008037521.tif 000003
【図２】
2008037521.tif 000004
【図３】
2008037521.tif 000005
【図４】
2008037521.tif 000006
【図５】
2008037521.tif 000007
【図６】
2008037521.tif 000008
【図７】
2008037521.tif 000009
【図８】
2008037521.tif 000010
【図９】
2008037521.tif 000011
【図１０】
2008037521.tif 000012